(57)【特許請求の範囲】
【請求項１】
トンネル内の通路方向の所定の位置毎に設けられた複数のバイパスファンと、
これらバイパスファン同士の間及びバイパスファンとトンネル外との間に設けられたバイパス管路と、
前記バイパス管路の端末と前記バイパスファンとの間に配置され、前記バイパスファンと前記バイパス管路との連通を解除してトンネル内空間へ向けて開放するかあるいは前記バイパスファンをトンネル内空間へ向けて開放した状態を解除して隣接するバイパス管路に連通させるかのいずれかに切換可能である流路切換機構と、
を備えたことを特徴とするトンネル換気システム。
【請求項２】
トンネル内の通路方向の所定の位置毎に設けられた複数のバイパスファンと、
これらバイパスファン同士の間及びバイパスファンとトンネル外との間に設けられたバイパス管路と、
前記バイパス管路の端末と前記バイパスファンとの間に配置され、前記バイパスファンと前記バイパス管路との連通を解除してトンネル内空間へ向けて開放するかあるいは前記バイパスファンをトンネル内空間へ向けて開放した状態を解除して隣接するバイパス管路に連通させるかのいずれかに切換可能である流路切換機構と、
前記トンネル内の各ゾーン毎に設けられ、かつ気体の状態を検出する計測器と、
前記計測器からの検出信号を基に前記流路切換機構の流路を切り換えるための駆動信号を形成し、当該駆動信号で前記流路切換機構を切換制御する制御装置と、
を備えたことを特徴とするトンネル換気システム。
【請求項３】
トンネル内の通路方向の所定の位置毎に設けられた複数のバイパスファンと、
これらバイパスファン同士の間及びバイパスファンとトンネル外との間に設けられたバイパス管路と、
前記バイパス管路の端末と前記バイパスファンとの間に配置され、前記バイパスファンをトンネル内空間へ向けて開放するかあるいは隣接するバイパス管路に連通するかのいずれかに切換可能である流路切換機構と、
前記トンネル内の各ゾーン毎に設けられ、かつ気体の状態を検出する計測器と、
前記計測器からの検出信号を基に前記流路切換機構をバイパス管路に連通させるかあるいはトンネル内空間へ開放させるかのいずれかに切り換える駆動信号を形成し、当該駆動信号で前記流路切換機構を駆動制御する制御装置と、
前記トンネル内に通路方向の一定位置毎に設けられ、トンネル内を換気するジェットファンと、
を備えたことを特徴とするトンネル換気システム。
【請求項４】
前記流路切換機構が、
両端にフランジを設けた可動管路と、
前記バイパスファンあるいはバイパス管路に固定されていて、前記可動管路のフランジを管路と直角方向にスライド可能に係合し、それぞれ前記バイパス管路またはバイパスファンに連通するかあるいはトンネル内空間へ向けて開放するかの何れかに切換可能とするスライド機構と、
前記可動管路を前記バイパス管路及びバイパスファンに連通させるか、あるいはトンネル内空間に向けて開放させるように、前記制御装置からの駆動信号に応じて前記各フランジをスライド機構上で移動させる駆動機構と、
を備えたことを特徴とする請求項３記載のトンネル換気システム。
【請求項５】
前記駆動機構が、
前記可動管路のフランジに固定されたウォーム軸と、
前記ウォーム軸を移動させるウォーム電動減速機と、
からなることを特徴とする請求項４記載のトンネル換気システム。
【請求項６】
前記流路切換機構が、所定の容積を有する箱体内に主通路を設けるとともに副通路を設け、前記主通路と副通路とを中央部で連通し、かつ前記主通路の中央に主ダンパを設けるとともに、主通路と副通路との連通部に複数の副ダンパを設け、かつ主通路の両端に主接続口を設けるとともに副通路の各端部にトンネル内空間に連通する連通孔を設け、かつ主ダンパ及び副ダンパを開閉駆動する弁駆動装置を設けてなることを特徴とする請求項１記載のトンネル換気システム。
【請求項７】
前記バイパスファンは、風量が可変であるとともに、トンネル内空間とバイパス管路とのいずれかに送風するように切換可能であることを特徴とする請求項１、２、３、４、５または６記載のトンネル換気システム。
【発明の詳細な説明】
【０００１】
【産業上の利用分野】
本発明は、トンネル内を換気するトンネル換気システムに関し、特にトンネル内の気体等の状態に応じて所定のゾーン毎に最適な換気等を行なうことができるトンネル換気システムに関する。
【０００２】
【従来の技術】
この種のトンネル換気システムとしては、トンネル内の車両の通行方式や、トンネルの長さや、トンネルが設けられている地形や、その他の条件に応じて各種の換気方式のものが提案されている。このような換気方式の中で特に縦流換気方式は、換気が車道を縦方向に流れ、しかもダクト等を設ける必要がないことから、よく利用されている。
【０００３】
この縦流換気方式を採用したトンネル換気システムとしては、ジェットファン群を用いたジェットファン法によるもの、立坑排気法によるもの（集中送排気方式）、あるいはサッカルド法によるものなどが提案されている。これらは、それぞれ特徴があるため、トンネルの設置状態に応じて最も適した方式のものが採用されている。
【０００４】
【発明が解決しようとする課題】
しかしながら、上述の縦流換気方式を採用したトンネル換気システムでは、通行量の増大に伴い累積的空気汚染が発生するという問題があった。
【０００５】
このような問題を解消するため、縦流換気量を増大させることが考えられるが、トンネル内の気積が大きいので、単に縦流換気量を増大させてもトンネルの坑口からの新鮮空気が所望の位置に供給されるまでに時間がかかり、汚染空気の排出が円滑に行かないという欠点があった。
【０００６】
また、立坑排気法を採用したトンネル換気システムの場合、排気位置が限定されてしまうという欠点があった。
【０００７】
さらに、集塵機付き縦流換気方式を採用したトンネル換気システムの場合、集塵機を大容量化することにより当該トンネル内の空気汚染を防止しているが、集塵機を設置するために大きな設置空間を必要とし、しかも集塵機の価格が高くなり、かつ集塵機の運転経費やメンテナンスに多大な費用がかかるという欠点があった。
【０００８】
さらに、一酸化炭素濃度、窒素酸化物（ＮＯｘ）濃度は集塵機では低減することができない欠点もある。
【０００９】
加えて、サッカルド法を採用したトンネル換気システムの場合、一定方向の給気だけであり、排気方向に使用することができないという欠点があった。
【００１０】
また、上記各トンネル換気システムでは、トンネル内で火災が発生した場合に、トンネル内から避難する者は風上側に避難する必要があり、また、消防隊が消火活動をおこなうためにトンネル内に進入するときにも風上側からトンネル内に進入しなければならず、避難方向や消火のための進入方向が限定されてしまうという欠点もあった。
【００１１】
そこで、本発明は、上述した問題点を解消し、トンネル内の累積空気汚染を防止し、かつトンネル換気制御性を向上し、しかもトンネル内火災の排煙性を向上させたトンネル換気システムを提供することを目的としている。
【００１２】
【課題を解決するための手段】
上記目的を達成するために、請求項１記載の発明に係るトンネル換気システムは、トンネル内の通路方向の所定の位置毎に設けられた複数のバイパスファンと、  これらバイパスファン同士の間及びバイパスファンとトンネル外との間に設けられたバイパス管路と、前記バイパス管路の端末と前記バイパスファンとの間に配置され、前記バイパスファンと前記バイパス管路との連通を解除してトンネル内空間へ向けて開放するかあるいは前記バイパスファンをトンネル内空間へ向けて開放した状態を解除して隣接するバイパス管路に連通させるかのいずれかに切換可能である流路切換機構と  を備えたことを特徴とするものである。
【００１３】
上記目的を達成するために、請求項２記載の発明に係るトンネル換気システムは、トンネル内の通路方向の所定の位置毎に設けられた複数のバイパスファンと、  これらバイパスファン同士の間及びバイパスファンとトンネル外との間に設けられたバイパス管路と、前記バイパス管路の端末と前記バイパスファンとの間に配置され、前記バイパスファンと前記バイパス管路との連通を解除してトンネル内空間へ向けて開放するかあるいは前記バイパスファンをトンネル内空間へ向けて開放した状態を解除して隣接するバイパス管路に連通させるかのいずれかに切換可能である流路切換機構と、前記トンネル内の各ゾーン毎に設けられ、かつ気体の状態を検出する計測器と、
前記計測器からの検出信号を基に前記流路切換機構の流路を切り換えるための駆動信号を形成し、当該駆動信号で前記流路切換機構を切換制御する制御装置と、
を備えたことを特徴とするものである。
【００１４】
上記目的を達成するために、請求項３記載の発明に係るトンネル換気システムは、トンネル内の通路方向の所定の位置毎に設けられた複数のバイパスファンと、  これらバイパスファン同士の間及びバイパスファンとトンネル外との間に設けられたバイパス管路と、前記バイパス管路の端末と前記バイパスファンとの間に配置され、前記バイパスファンをトンネル内空間へ向けて開放するかあるいは隣接するバイパス管路に連通するかのいずれかに切換可能である流路切換機構と、前記トンネル内の各ゾーン毎に設けられ、かつ気体の状態を検出する計測器と、前記計測器からの検出信号を基に前記流路切換機構をバイパス管路に連通させるかあるいはトンネル内空間へ開放させるかのいずれかに切り換える駆動信号を形成し、当該駆動信号で前記流路切換機構を駆動制御する制御装置と、前記トンネル内に通路方向の一定位置毎に設けられ、トンネル内を換気するジェットファンと、
を備えたことを特徴とするものである。
【００１５】
請求項４は、前記流路切換機構が、両端にフランジを設けた可動管路と、
前記バイパスファンあるいはバイパス管路に固定されていて、前記可動管路のフランジを管路と直角方向にスライド可能に係合し、それぞれ前記バイパス管路またはバイパスファンに連通するかあるいはトンネル内空間へ向けて開放するかの何れかに切換可能とするスライド機構と、前記可動管路を前記バイパス管路及びバイパスファンに連通させるか、あるいはトンネル内空間に向けて開放させるように、前記制御装置からの駆動信号に応じて前記各フランジをスライド機構上で移動させる駆動機構とを備えたことを特徴とするものである。
【００１６】
請求項５は、請求項４記載の駆動機構が、前記可動管路のフランジに固定されたウォーム軸と、前記ウォーム軸を移動させるウォーム電動減速機とからなることを特徴とするものである。
【００１７】
請求項６は、前記流路切換機構が、所定の容積を有する箱体内に主通路を設けるとともに副通路を設け、前記主通路と副通路とを中央部で連通し、かつ前記主通路の中央に主ダンパを設けるとともに、主通路と副通路との連通部に複数の副ダンパを設け、かつ主通路の両端に主接続口を設けるとともに副通路の各端部にトンネル内空間に連通する連通孔を設け、かつ主ダンパ及び副ダンパを開閉駆動する弁駆動装置を設けてなることを特徴とするものである。
【００１８】
請求項７は、前記バイパスファンは、風量が可変であるとともに、トンネル内空間とバイパス管路とのいずれかに送風するように切換可能であることを特徴とするものである。
【００１９】
【作用】
請求項１記載の発明では、トンネル内の所定のゾーン毎にバイパスファンを設け、これらの間にバイパス管路を設け、かつこの管路の末端に流路切換機構を設けているので、この流路切換機構を必要に応じて切り換えることにより、トンネル外からの新鮮な空気をトンネル内に噴出させたり、排気側管路よりトンネル内の汚染空気を吸引排気したりすることをゾーン毎に行えるようにしたものである。
【００２０】
請求項２記載の発明では、請求項１記載の構成に、トンネル内のゾーン毎の気体の状態を検出する計測器と、この計測器からの検出信号を基に流路切換機構を駆動制御できる制御装置とを付加したので、ゾーン毎に最適な換気状態を自動的に得ることができる。
【００２１】
請求項３記載の発明では、請求項２記載のトンネル換気システムの構成に加えて、トンネル内を換気するジェットファンを併用したものであり、これによりより確実にトンネル内換気ができる。
【００２２】
請求項４記載の発明では、可動管路方式の流路切換機構が駆動信号により可動管路が切り換えられ、トンネル内の所定ゾーンの換気を行うことができる。
【００２３】
請求項５記載の発明では、請求項５記載の流路切換機構で使用される駆動機構が、駆動信号によりウォーム電動減速機が作動することによりウォーム軸が移動し、前記可動管路のフランジを移動させて、トンネル内の換気を行うことができる。
【００２４】
請求項６記載の発明では、ダンパ切換方式の流路切換機構が、駆動信号により主弁駆動装置及び副弁駆動装置を動作させることにより、主ダンパー、副ダンパーを切り換えてトンネル内の換気を行うことができる。
【００２５】
請求項７記載の発明では、必要に応じて、風量を変えたり吸い込みと吐き出しとを反転させることができるので、上記バイパスファンの運転方向および流路切換機構の主ダンパ及び副ダンパの切り換えの組み合わせにより、トンネル内について、多様な給排気が可能となる。
【００２６】
【実施例】
以下、本発明について図面を参照して説明する。
【００２７】
第１の実施例
図１乃至図１１には本発明の第１の実施例が示されている。ここに、図１が同第１の実施例を示す構成図、図２が同第１の実施例を示す正面図である。
上記図１及び図２において、符号１１は所定の長さを有するトンネルであり、トンネル１１は、仮に第１のゾーン１２ａ、第２のゾーン１２ｂ、及び第３のゾーン１２ｃと分割されているものとする（図１参照）。
【００２８】
また、前記トンネル１１の上側であって当該トンネル１１内の通路方向の所定の位置毎には、バイパスファン１３ａ，１３ｂ，１３ｃが設けられている。すなわち、バイパスファン１３ａは第１のゾーン１２ａに、バイパスファン１３ｂは第２のゾーン１２ｂに、バイパスファン１３ｃは第３のゾーン１２ｃに、それぞれ配置されている。これらバイパスファン１３ａ，１３ｂ，１３ｃの間には、バイパス管路１４ｂ，１４ｃが設けられており、前記バイパスファン１３ａと上記トンネル１１の一方の坑口よりも外側との間にはバイパス管路１４ａが、前記バイパスファン１３ｃと上記トンネル１１の他方の坑口よりも外側との間にはバイパス管路１４ｄが設けられている。
【００２９】
前記バイパス管路１４ａの末端とバイパスファン１３ａの一方の接続端との間には、流路切換機構１５ａが接続されており、この流路切換機構１５ａは、片側をバイパス管路１４ａの末端に連通するかあるいは前記トンネル１１の第１のゾーン１２ａの空間に向けて開放するかのいずれかに切り換えることができるとともに、反対側をバイパスファン１３ａの一方の接続端に連通するかあるいは前記トンネル１１の第１のゾーン１２ａの空間に向けて開放するかのいずれかに切り換えることができるようになっている。前記バイパス管路１４ｂの末端とバイパスファン１３ａの他方の接続端との間には流路切換機構１５ｂが接続されており、この流路切換機構１５ｂは、バイパス管路１４ｂの末端に連通するかまたは前記トンネル１１の第１のゾーン１２ａの空間に開放するか、あるいはバイパスファン１３ａの他方の接続端に連通するかまたは前記トンネル１１の第１のゾーン１２ａの空間に開放することができるようになっている。
【００３０】
前記バイパス管路１４ｂの末端とバイパスファン１３ｂの一方の接続端との間には流路切換機構１５ｃが接続されており、この流路切換機構１５ｃは、片側をバイパス管路１４ｂに連通するかあるいは前記トンネル１１の第２のゾーン１２ｂの空間に開放することができるとともに、反対側をバイパスファン１３ｂの一方の接続端に連通するかあるいは前記トンネル１１の第２のゾーン１２ｂの空間に開放することができるようになっている。前記バイパス管路１４ｃの末端とバイパスファン１３ｂの他方の接続端との間には流路切換機構１５ｄが接続されており、この流路切換機構１５ｄは、バイパス管路１４ｃの末端に連通するかあるいは前記トンネル１１の第２のゾーン１２ｂの空間に開放することができるとともに、バイパスファン１３ｂの他方の接続端に連通するかあるいは前記トンネル１１の第２のゾーン１２ｂの空間に開放することができるようになっている。
【００３１】
前記バイパス管路１４ｃの末端とバイパスファン１３ｃの一方の接続端との間には流路切換機構１５ｅが接続されており、この流路切換機構１５ｅは、バイパス管路１４ｃに連通するかあるいは前記トンネル１１の第３のゾーン１２ｃの空間に開放することができるとともに、バイパスファン１３ｃの一方の接続端に連通するかあるいは前記トンネル１１の第３のゾーン１２ｃの空間に開放することができるようになっている。前記バイパス管路１４ｄの末端とバイパスファン１３ｃの他方の接続端との間には流路切換機構１５ｆが接続されており、この流路切換機構１５ｆは、バイパス管路１４ｄの末端に連通するかあるいは前記トンネル１１の第３のゾーン１２ｃの空間に開放することができるとともに、バイパスファン１３ｃの他方の接続端に連通するかあるいは前記トンネル１１の第３のゾーン１２ｃの空間に開放することができるようになっている。
【００３２】
また、前記トンネル１１内の各ゾーン１２ａ，１２ｂ，１２ｃには、ＶＩ計あるいはＣＯ計などの計測器１６ａ，１６ｂ，１６ｃが配設されており、各ゾーン１２ａ，１２ｂ，１２ｃの気体の状態をそれぞれ検出することができるようになっている。これら計測器１６ａ，１６ｂ，１６ｃは、ケーブル１７ａ，１７ｂ，１７ｃをそれぞれ介して制御装置１８に電気的に接続されている。
【００３３】
前記制御装置１８は、例えばコンピュータシステム等を用いて構成されており、前記各計測器１６ａ，１６ｂ，１６ｃからの検出信号を基に流路を切り換えるための駆動信号Ｓax，Ｓay，Ｓbx，Ｓby，…，Ｓfx，Ｓfyの一部または全部を形成し、ケーブルを介して各流路切換機構１５ａ，１５ｂ，…，１５ｆに供給できるようになっている。また、制御装置１８は、図示しないが、バイパスファン１３ａ，１３ｂ，１３ｃを運転制御できるようになっている。
【００３４】
なお、上記実施例では、上記トンネル１１内の第１のゾーン１２ａの中段付近にジェットファン２０au，２０adと、上記トンネル１１内の第２のゾーン１２ｂの中段付近にジェットファン２０bu，２０bdと、上記トンネル１１内の第３のゾーン１２ｃの中段付近にジェットファン２０cu，２０cdとを配置し、ジェットファン併用型の構成をとっている。
【００３５】
また、流路切換機構１５ａは、可動管路方式であり、基本的に、可動管路２１ａと、移動機構２２ax，２２ayとからなる。移動機構２２axは、可動管路２１ａをバイパスファン１３ａに接続連通するか、あるいはトンネル１１内の第１のゾーン１２ａの空間に向けて開放できるようになっている。移動機構２２ayは、可動管路２１ａの一端をバイパス管路１４ａに接続連通するかあるいはトンネル１１内の第１のゾーン１２ａの空間に向けて開放するようになっている。これら移動機構２２ax，２２ayは、制御装置１８からの駆動信号Ｓax，Ｓayで動作するようになっている。また、流路切換機構１５ｂは、可動管路方式であり、基本的に、可動管路２１ｂと、移動機構２２bx，２２byとからなる。移動機構２２bxは、可動管路２１ｂをバイパスファン１３ａに接続連通するかあるいはトンネル１１内の第１のゾーン１２ａの空間に向けて開放できるようになっている。移動機構２２byは、可動管路２１ａをバイパス管路１４ｂに接続連通するかあるいはトンネル１１内の第１のゾーン１２ａの空間に向けて開放するようになっている。これら移動機構２２bx，２２byは、制御装置１８からの駆動信号Ｓbx，Ｓbyで動作するようになっている。また、流路切換機構１５ｃ及び１５ｄと、流路切換機構１５ｅ及び１５ｆも上記構成と同一であり、符号ｃ〜ｆが付されただけであるので、説明を省略する。
【００３６】
次に、図３及び図４を参照して流路切換機構回りの構成を説明する。ここに、図３は、同実施例で使用する流路切換機構のバイパスファン側を拡大して示す斜視図である。図４は、同実施例で使用する流路切換機構のバイパス管路側を拡大して示す斜視図である。なお、流路切換機構１５ａ及び１５ｂと、流路切換機構１５ｃ及び１５ｄと、流路切換機構１５ｅ及び１５ｆとは同一構成であるので、流路切換機構１５ａ及び１５ｂを他の流路切換機構に代表させて説明する。
【００３７】
まず、流路切換機構１５ａは、可動管路２１ａ及び移動機構２２ax，２２ayとからなることは既に説明した。この可動管路２１ａの両端には、フランジ２３ax，２３ayが設けられている。
【００３８】
前記移動機構２２axは、大別して、スライド機構２４axと、駆動機構２５axとからなる。このスライド機構２４axの一端側にはバイパスファン１３ａの一方の接続端が固定されており、かつスライド機構２４axはバイパスファン１３ａの軸方向に対して直角方向に溝２７axが向くように取付けられている。また、スライド機構２４axの溝２７axに可動管路２１ａのフランジ２３axがスライド可能に係合されており、フランジ２３axをスライド機構２４axの溝２７ax内をスライドさせることにより、可動管路２１ａをバイパスファン１３ａに連通するかあるいはトンネル１１内の第１のゾーン１２ａの空間へ向けて開放するかの何れかに切換可能となっている。また、前記フランジ２３axは駆動機構２５axと連結されており、この駆動機構２５axは前記制御装置１８からの駆動信号Ｓaxに応じて前記フランジ２３axをスライド機構２４axの溝２７ax上で移動させることができるようになっている。また、前記駆動機構２５axは、前記可動管路２１ａのフランジ２３axに固定されたウォーム軸２８axと、前記ウォーム軸２８axを移動させるウォーム電動減速機２９axとからなる。このウォーム電動減速機２９axは、前記制御装置１８からの駆動信号Ｓaxにより作動するようになっている。なお、符号３０ax，３０axはリミットスイッチであり、これらは図示しないケーブルで制御装置１８に接続されている。また、スライド機構２４axは、吊り金具３１ａ，３１ａでトンネル１１内に固定されている。
【００３９】
前記移動機構２２ayは、大別して、スライド機構２４ayと、駆動機構２５ayとからなる。このスライド機構２４ayの一端側にはバイパス管路１４ａの末端が固定されており、かつスライド機構２４ayはバイパス管路１４ａの軸方向に対して直角方向に溝２７ayが向くように取付けられている。また、スライド機構２４ayの溝２７ayに可動管路２１ａのフランジ２３ayがスライド可能に係合されており、フランジ２３ayをスライド機構２４ayの溝２７ay内をスライドさせることにより、可動管路２１ａをバイパス管路１４ａに連通するかあるいはトンネル１１内の第１のゾーン１２ａの空間へ向けて開放するかの何れかに切換可能となっている。また、前記フランジ２３ayは駆動機構２５ayと連結されており、この駆動機構２５ayは前記制御装置１８からの駆動信号Ｓayに応じて前記フランジ２３ayをスライド機構２４ayの溝２７ay上で移動させることができるようになっている。また、前記駆動機構２５ayは、前記可動管路２１ａのフランジ２３ayに固定されたウォーム軸２８ayと、前記ウォーム軸２８ayを移動させるウォーム電動減速機２９ayとからなる。このウォーム電動減速機２９ayは、前記制御装置１８からの駆動信号Ｓayにより作動するようになっている。なお、符号３０ay，３０ayはリミットスイッチであり、これらは図示しないケーブルで制御装置１８に接続されている。また、スライド機構２４ayは、吊り金具３１ａ，３１ａでトンネル１１内に固定されている。
【００４０】
次に、流路切換機構１５ｂについて説明する。この流路切換機構１５ｂは、基本的には、上述した流路切換機構１５ａと同一構成である。したがって、この流路切換機構１５ｂを構成する構成要素が、流路切換機構１５ａの構成要素と同一のものには、同一の符号のうち「ａ」の部分を「ｂ」と変更しかつ他の符号は同一のままとした符号を付して説明を省略する。
【００４１】
次に、上述のような構成の第１の実施例の動作を説明する。ここに、図５は、同実施例の動作を説明するために各構成要素を簡単に表示するための系統図である。図６〜図１０は、各換気パターンを説明するための図である。また、換気パターンを説明するために、図５に示すように、バイパス管路１４ａ〜１４ｄを単に実線で示し、流路切換機構１５ａ〜１５ｆを波線で示し、かつバイパスファン１３ａ〜１３ｃを四角内に×印をしたもので示すことにする。
【００４２】
まず、制御装置１８は、従来装置と同じものを使用でき、必要なデータや運転パターン等の情報が初期設定できる。また、制御装置１８には、トンネル１１内の各ゾーン１２ａ，１２ｂ及び１２ｃの大気の状態が計測器１６ａ，１６ｂ及び１６ｃを介して一定時間毎あるいは連続して取り込まれている。
【００４３】
ここで、換気風向きが図６から図１０までに示すごとく、各計測器１６ａ〜１６ｃから得られたデータのうち、換気基準を超えるデータ、超えることが予想されるデータ、または火災データが制御装置１８に入力されたとすると、制御装置１８は、当該検出信号に基づいて、トンネル１１内の各種換気装置を各パターンで運転できるように指令する。
【００４４】
以下は、バイパス換気のみ投入する場合について示す。
〔パターンＡ〕
制御装置１８は、上記計測器１６ｂ，１６ｃからの検出信号を基に、第２のゾーン１２ｂあるいは第３のゾーン１２ｃに給気が必要であると判定すると、流路切換機構１５ｃのバイパスファン１３ｂ側の可動管路２１ｃを第２のゾーン１２ｂの空間側に向けて、かつバイパスファン１３ａを運転する。なお、バイパスファン１３ｂ及びバイパスファン１３ｃは運転しない。これにより、図６に示すように、流路切換機構１５ｃのバイパスファン１３ｂ側の可動管路２１ｃは、第２のゾーン１２ｂの空間へ向けて開放され、バイパスファン１３ａによりトンネル１１外の外気を取り入れ、この新鮮な空気を第２のゾーン１２ｂに供給する。
【００４５】
〔パターンＢ〕
制御装置１８は、上記計測器１６ｂ，１６ｃからの検出信号を基に、第２のゾーン１２ｂ及び第３のゾーン１２ｃに給気・排気が必要であると判定すると、流路切換機構１５ｃのバイパスファン１３ｂ側の可動管路２１ｃを第２のゾーン１２ｂの空間側に向けると共に流路切換機構１５ｅのバイパス管路１４ｃ側の可動管路２１ｅを第３のゾーン１２ｃの空間側に向け、かつバイパスファン１３ａ及び１３ｃを運転する。なお、バイパスファン１３ｂは運転しない。これにより、図７に示すように、流路切換機構１５ｃのバイパスファン１３ｂ側の可動管路２１ｃは、第２のゾーン１２ｂの空間に向けて開放され、バイパスファン１３ａによりトンネル１１外の外気を取り入れ、この新鮮な空気を第２のゾーン１２ｂに供給する。また、流路切換機構１５ｅのバイパス管路１４ｃ側の可動管路２１ｅは、第３のゾーン１２ｃの空間に向けて開放され、バイパスファン１３ｃによりトンネル１１内の第３のゾーン１２ｃの汚染空気を吸い込み、この汚染空気をトンネル１１の外部に放出する。これにより、ゾーン換気ができる。
【００４６】
〔パターンＣ〕
制御装置１８は、計測器１６ａ〜１６ｃからの検出信号を基に、第１のゾーン１２ａ及び第２のゾーン１２ｂの排気、さらに第２のゾーン１２ｂ及び第３のゾーン１２ｃに給気が必要であると判定すると、流路切換機構１５ｃのバイパスファン１３ｂ側の可動管路２１ｃを第２のゾーン１２ｂの空間側に向け、しかもバイパスファン１３ａ，１３ｂ及び１３ｃを運転する。これにより、図８に示すように、流路切換機構１５ｃのバイパスファン１３ｂ側の可動管路２１ｃは、第２のゾーン１２ｂの空間に向けて開放され、バイパスファン１３ａによりトンネル１１外の外気を取り入れ、この新鮮な空気を第２のゾーン１２ｂに供給する。また、バイパスファン１３ｂの一方の接続端は、第２のゾーン１２ｂに開放しているので、バイパスファン１３ｂ及びバイパスファン１３ｃにより、第１のゾーン１２ａ及び第２のゾーン１２ｂの汚染空気をトンネル１１の外部に排出できることになる。これにより、新鮮な外気の給気と汚染空気の排気が可能になる。
【００４７】
〔パターンＤ〕
次に、制御装置１８は、計測器１６ａ〜１６ｃからの検出信号を基に、第１のゾーン１２ａ〜第３のゾーン１２ｃまでの空気の流通をよくしたいと判定する。すると、制御装置１８は、流路切換機構１５ａのバイパス管路１４ａ側の可動管路２１ａを第１のゾーン１２ａに、流路切換機構１５ｂのバイパス管路１４ｂ側の可動管路２１ｂを第１のゾーン１２ａに、それぞれ開放させる。同様に、制御装置１８は、流路切換機構１５ｃのバイパス管路１４ｂ側の可動管路２１ｃを第２のゾーン１２ｂに、流路切換機構１５ｄのバイパス管路１４ｃ側の可動管路２１ｄを第２のゾーン１２ｂに、それぞれ開放させる。同様に、制御装置１８は、流路切換機構１５ｅのバイパス管路１４ｃ側の可動管路２１ｅを第３のゾーン１２ｃに、流路切換機構１５ｆのバイパス管路１４ｄ側の可動管路２１ｆを第３のゾーン１２ｃに、それぞれ開放させる。また、制御装置１８は、バイパスファン１３ａ，１３ｂ及び１３ｃを正転運転する。これにより、図９に示すように、バイパスファン１３ａ，１３ｂ，１３ｃは、ジェットファンとして使用することができる。
【００４８】
〔パターンＥ（火災の場合）〕
次に、制御装置１８は、計測器１６ａ〜１６ｃからの検出信号や火災報知機等の報知信号により、例えば第２のゾーン１２ｂ及び第３のゾーン１２ｃの中間等で火災が発生していることを検出したとする。すると、制御装置１８は、当該火災の発生しているエリアのスポット排気を行なう。これは、次のとおりである。制御装置１８は、流路切換機構１５ｄのバイパス管路１４ｃ側の可動管路２１ｄを第２のゾーン１２ｂの空間側に向け、かつ流路切換機構１５ｅのバイパス管路１４ｃ側の可動管路２１ｅを第３のゾーン１２ｃの空間側に向け、しかもバイパスファン１３ａ，１３ｂを逆回転（バイパス管路による排煙方向に回転）させるとともに、バイパスファン１３ｃを正回転（バイパス管路による排煙方向に回転）させる。これにより、図１０に示すように、流路切換機構１５ｄのバイパス管路１４ｃ側の可動管路２１ｄは、第２のゾーン１２ｂの空間に開放され、バイパスファン１３ｂ，１３ａによりトンネル１１内の煙を排出し、かつまた、バイパス管路１４ｃ側の可動管路２１ｅの末端は、第３のゾーン１２ｃに開放されているので、バイパスファン１３ｃにより、第３のゾーン１２ｃの煙をトンネル１１の外部に排出できることになる。なお、新鮮な空気は、トンネル１１を通って供給されることになる。また、バイパスファンは、ジェットファンと連動して作動させる場合、排気量及びジェットファンの昇圧能力との調整制御を行っている。
【００４９】
そして、このモードに入った場合には、火災信号が消滅しても運転を継続し、外部からの外部介入指令（停止指令）があるまでは運転を継続する。外部からの外部介入指令（停止指令）があれば運転を停止して、リセット状態により待機状態になる。
【００５０】
なお、上記実施例では、換気パターンＡからパターンＥまでの運転で説明したが、これらの組み合わせ、及び他のパターンの組み合わせ等が考えられる。
【００５１】
上記実施例によれば、次のような利点がある。
（１）可動管路２１による必要なゾーンヘの新鮮な空気の噴出による希釈換気と昇圧効果、及び汚染空気の吸引排気による空気汚染の累積の緩和ができる。
【００５２】
（２）給気、排気のゾーンを選択換気することによる指定ゾーン部の汚染低減を急速に行うことができる。また、ゾーン換気によるファン運転時間の低減。交通台数増減への換気応答速度を向上させることができる。
【００５３】
（３）トンネル内の必要ゾーンヘ直接外気を供給し、この部位より汚染空気を排気することによる集じん機容量を低減させることができる。
【００５４】
（４）バイパス管路をトンネル１１内の全長に設けることによって可逆性を成立させることができる。
【００５５】
（５）バイパスファン１３を火災ゾーンを挟みおのおの排気方向に運転することにより、煙の拡散をゾーン内に拘束することができる。これにより、トンネルの両方の坑口から消防隊が進入できるとともに、トンネルから避難する者もトンネルの両方の坑口に向かって避難でき、消火活動の多様化が図れるとともに、複数の避難ルートを確保することができる。
【００５６】
なお、上記実施例では、計測器１６からの検出データを基に制御装置１８で換気パターンを自動的に選択し、これに従って動作させていたが、これに限らず、例えば計測器１６からの検出データを表示できるようにし、この表示データを基に人間が判断し、手動操作でバイパスファン１３の風量、運転方向や、流路切換機構１５の切換状態を制御するようにしてもよい。
【００５７】
第２の実施例
第２の実施例を図１１乃至図２２に示す。図１１は、流路切換機構としてダンパ切換方式を使用したトンネル換気システムの第２の実施例の全体構成図である。図１２は同ダンパ切換方式の流路切換機構を示す斜視図、図１３は同流路切換機構の正面図、図１４は同流路切換機構の側面図、図１５は図１３の流路切換機構のＡ−Ａ線に沿う断面図である。
【００５８】
図１１に示す第２の実施例が第１の実施例と異なるところは、第１の実施例で使用している可動管路方式の流路切換機構１５ａ〜１５ｆに代えてダンパ切換方式の流路切換機構５１ａ〜５１ｆを用いた点にある。また、このように第２の実施例では各流路切換機構５１ａ〜５１ｆを使用している関係から、第１の実施例のものより駆動信号が多くなる点でも異なっている。したがって、第２の実施例においては流路切換機構５１ａ〜５１ｆを使用している以外は、第１の実施例と異なるところがないので、第１の実施例の構成要素に付した符号と同一の符号を付して構成の説明を省略し、流路切換機構５１ａ〜５１ｆの構成についてのみ説明を行う。なお、流路切換機構５１ａ〜５１ｆは全く同様な構造であるので、以下では流路切換機構５１として説明する。
【００５９】
ダンパ切換方式の流路切換機構５１は次のような構造となっている。すなわち、所定の材料により六面からなる側面５２Ａ，５２Ｂ，５２Ｒ，５２Ｌ，５２Ｃ，５２Ｄを囲むことにより、直方体形状の箱体５３を形成している。また、この箱体５３の側面５２Ａには、主接続口５４Ａと、２つの連通孔５５RA，５５LAとが設けられている。同様に、前記箱体５３の側面５２Ｂには、主接続口５４Ｂと、２つの連通孔５５RB，５５LBとが設けられている。前記箱体５３の側面５２Ｃには、主弁駆動装置５６及び副弁駆動装置５７RA，５７RB，５７LA，５７LBが設けられている。前記箱体５３の内部には、仕切り板５８Ｒ，５８Ｌ及び側面５２Ｃ，５２Ｄの一部と、側面５２Ａ，５２Ｂの一部で囲まれた主通路５９が形成されている。また、前記箱体５３の内部に仕切り板５８Ｒ，５８Ｌを設けることにより、当該箱体５３の側面５２Ａ，５２Ｂ，５２Ｒ，５２Ｌ，５２Ｃ，５２Ｄの一部で囲まれた副通路６０Ｒ，６０Ｌが形成されている。この主通路５９の中央部の仕切り板５８Ｒ，５８Ｌには、切欠部６１Ｒ，６１Ｌが設けられることにより主通路５９と副通路６０Ｒ，６０Ｌとを連通している。さらに、主通路５９の中央には、主弁駆動装置５６により図示矢印の方向に回動する主ダンパ６２が設けられている。また、副通路６０Ｒ内において、仕切り板５８Ｒの切欠部６１Ｒの両端には、副ダンパ６３RA，６３RBが配置されており、この副ダンパ６３RA，６３RBは副弁駆動装置５７RA，５７RBにより図示矢印方向に回動するようになっている。副通路６０Ｌ内において、仕切り板５８Ｌの切欠部６１Ｌの両端には、副ダンパ６３LA，６３LBが配置されており、この副ダンパ６３LA，６３LBは副弁駆動装置５７LA，５７LBにより図示矢印方向に回動するようになっている。なお、この流路切換機構５１は、例えば主接続口５４Ａを管路７１を介してバイパス管路１４に接続し、主接続口５４Ｂを管路７２を介してバイパスファン１３に接続する。
【００６０】
次に、流路切換機構５１の動作のパターンについて図１６及び図１７を参照して説明する。図１６は正方向送風の場合のダンパの位置関係を示し、図１７は逆方向送風の場合のダンパの位置関係を示している。
【００６１】
図１６では、主接続口５４Ａが連通孔５５RBに、主接続口５４Ｂが連通孔５５LAに接続されるように、図に示すように主ダンパ６２と副ダンパ６３LA，６３RBを移動させる。これにより、バイパス管路１４を介して送られてきた例えば外気等を連通孔５５RBを通してトンネル内空間に放出できる。また、主接続口５４Ｂに管路７２を介して接続されているバイパスファン１３が動作していれば、トンネル内空間の汚染空気等を連通孔５５LAを介して吸い込むことができる。
【００６２】
図１７では、主接続口５４Ａが連通孔５５LBに、主接続口５４Ｂが連通孔５５RAに接続されるように、図に示すように主ダンパ６２と副ダンパ６３LB，６３RAを移動させる。これにより、トンネル内空間の例えば汚染空気等を連通孔５５LBを通してバイパス管路１４側に吸い込ませることができる。また、主接続口５４Ｂに管路７２を介して接続されているバイパスファン１３が動作していれば、バイパスファン１３から送られてくる空気等を連通孔５５RAを介して放出することができる。なお、通過のみの場合には、図１５に示すように主ダンパ６２及び副ダンパ６３RA，６３RB，６３LA，６３LBを位置させる。
【００６３】
このような第２の実施例による動作パターンについて図１１〜図１５を基に、図１６及び図１７と図１８〜図２２とを参照して説明する。
【００６４】
〔パターンＡ〕
図１８はパターンＡの動作を説明するものであり、同図（ａ）は第２の実施例の動作を、同図（ｂ）は第１の実施例の動作を説明するための図である。第１の実施例のパターンＡの動作は既に説明したが、これが図１８（ｂ）に示してある。このような動作をさせる場合、第２の実施例では、流路切換機構５１ａ，５１ｂ，５１ｄ，５１ｅ，５１ｆについては主ダンパ６２及び副ダンパ６３RA，６３RB，６３LA，６３LBを図１５に示すように位置させ、かつ流路切換機構５１ｃについては主ダンパ６２及び副ダンパ６３RB，６３LAのみを図１６に示すように位置させておく。また、バイパスファン１３ａのみを正転運転させる。これにより、流路切換機構５１ｃの外気が連通孔５５RBからトンネル内空間に放出される。
【００６５】
〔パターンＢ〕
図１９はパターンＢの動作を説明するものであり、同図（ａ）は第２の実施例の動作を、同図（ｂ）は第１の実施例の動作を説明するための図である。第１の実施例のパターンＢの動作は既に説明したが、これが図１９（ｂ）に示してある。このような動作をさせる場合、第２の実施例では、流路切換機構５１ａ，５１ｂ，５１ｄ，５１ｆについては主ダンパ６２及び副ダンパ６３RA，６３RB，６３LA，６３LBを図１５に示すように位置させ、かつ流路切換機構５１ｃについては主ダンパ６２及び副ダンパ６３RB，６３LAのみを図１６に示すように位置させ、しかも流路切換機構５１ｅについては主ダンパ６２及び副ダンパ６３LB，６３RAのみを図１７に示すように位置させておく。また、バイパスファン１３ａ，１３ｃのみを正転運転する。これにより、外気が流路切換機構５１ｃの連通孔５５RBからトンネル内空間に放出される。また、流路切換機構５１ｅの連通孔５５RAからトンネル内空間の汚染空気を吸い込むことができる。
【００６６】
〔パターンＣ〕
図２０はパターンＣの動作を説明するものであり、同図（ａ）は第２の実施例の動作を、同図（ｂ）は第１の実施例の動作を説明するための図である。第１の実施例のパターンＣの動作は既に説明したが、これが図２０（ｂ）に示してある。このような動作をさせる場合、第２の実施例では、流路切換機構５１ａ，５１ｂ，５１ｄ，５１ｅ，５１ｆについては主ダンパ６２及び副ダンパ６３RA，６３RB，６３LA，６３LBを図１５に示すように位置させ、かつ流路切換機構５１ｃについては主ダンパ６２及び副ダンパ６３RB，６３RAのみを図１６に示すように位置させている。また、バイパスファン１３ａ，１３ｂ，１３ｃを正転運転する。これにより、外気が流路切換機構５１ｃの連通孔５５RBからトンネル内空間に放出される。また、流路切換機構５１ｃの連通孔５５LAからトンネル内空間の汚染空気を吸い込みトンネル外に放出できる。
【００６７】
〔パターンＤ〕
図２１はパターンＤの動作を説明するものであり、同図（ａ）は第２の実施例の動作を、同図（ｂ）は第１の実施例の動作を説明するための図である。第１の実施例のパターンＤの動作は既に説明したとおりである。このパターンＤの動作は、ジェットファン方式として使用するものであり、図２１（ｂ）では、例えばバイパスファン１３ａと流路切換機構１５ａ，１５ｂとを代表させて示してある。したがって、第２の実施例でも、流路切換機構５１ａ，５１ｂと、バイパスファン１３ａの部分のみ代表して説明することにする。このような動作をさせる場合、第２の実施例では、流路切換機構５１ａ，５１ｂについては主ダンパ６２及び副ダンパ６３LA，６３RBを図１６に示すように位置させている。また、バイパスファン１３ａのみを正転運転させる。これにより、流路切換機構５１ａの連通孔５５LAからトンネル内空間の空気を吸い込み、流路切換機構５１ｂの連通孔５５RBからトンネル内空間に空気を吐き出すことになる。なお、図２１では示していないが、他の流路切換機構５１ｃ，５１ｄ，５１ｅ，５１ｆも上記説明と同様に切り換え、かつバイパスファン１３ｂ，１３ｃを正転運転させている。
【００６８】
〔パターンＥ〕
図２２はパターンＥ（火災の場合）の動作を説明するものであり、同図（ａ）は第２の実施例の動作を、同図（ｂ）は第１の実施例の動作を説明するための図である。第１の実施例のパターンＥの動作は既に説明したが、これが図２２（ｂ）に示してある。このような動作をさせる場合、第２の実施例では、流路切換機構５１ａ，５１ｂ，５１ｃ，５１ｆについては主ダンパ６２及び副ダンパ６３RA，６３RB，６３LA，６３LBを図１５に示すように位置させ、かつ流路切換機構５１ｄについては主ダンパ６２及び副ダンパ６３LA，６３RBのみを図１６に示すように位置させ、しかも流路切換機構５１ｅについては主ダンパ６２及び副ダンパ６３RA，６３LBのみを図１７に示すように位置させておく。また、バイパスファン１３ａ，１３ｂを逆転運転するとともに、バイパスファン１３ｃを正転運転する。これにより、流路切換機構５１ｄの連通孔５５RBから第３のゾーン１２ｃの煙を吸い込みトンネル１１の外部に放出するとともに、流路切換機構５１ｅの連通孔５５RAから第３のゾーン１２ｃの煙を吸い込みトンネル１１の外部に放出する。
【００６９】
この第２の実施例によっても、第１の実施例と同様の作用効果を奏することができ、しかも切り換えをするのに第１の実施例のような大きな駆動部分がないので設置空間を省略できる。
【００７０】
次に、第２の実施例の変形例について説明する。この変形例は、基本的に第２の実施例とほぼ同一であり、主ダンパ６２が半分で折れてそれぞれ開閉できるようにしている点が異なるだけである。したがって、第２の実施例の図面を参照して説明する。
【００７１】
この変形例では、バイパスファン１３ａ〜１３ｃは、正送風（正方向）または逆送風（逆方向）に送風が可能としてある。また、流路切換機構５１ａ〜５１ｆについては全て同一機構であるので、符号のａ〜ｆを取って流路切換機構５１として説明することにする。流路切換機構５１は、所定の箱体５３内の主通路５９に設けた主ダンパ６２と、同箱体５３内の副通路６０Ｌ，６０Ｒに設けた副ダンパ６３LA，６３LB，６３RA，６３RBとを複数の切換え態様に設定できるようになっている。
【００７２】
このような変形例において、例えば、バイパスファン１３ｃを逆送風（逆方向）に運転しているときに、流路切換機構５１ｆについてはバイパス管路１４ｄとバイパスファン１３ｃとを連通させ、かつ流路切換機構５１ｅについては主ダンパ６２を閉じ、副ダンパ６３LA，６３RA，６３RBを閉じ、副ダンパ６３LBを開くことにより、流路切換機構５１ｅからは空気がバイパス管路１４ｄ側に吹き出すことになる。したがって、前記バイパスファン１３ｃは逆送風運転状態にあるのに、正送風運転されているような状態でトンネル１１内には空気が供給されることになる。
【００７３】
このように本変形例では、前記バイパスファン１３ａ，１３ｂ，または１３ｃは、必要に応じて正方向に送風するように運転したり、あるいは逆方向の風向きに運転したりする。また、各所定の流路切換機構５１は、主ダンパ６２と、副ダンパ６３LA，６３LB，６３RA，６３RBとの切り換えの組み合わせを多様に選択できる。したがって、上記バイパスファンの運転方向と、流路切換機構の主ダンパ及び副ダンパの切り換えの組み合わせにより、トンネル内について、多様な給排気が可能となる。
【００７４】
なお、トンネル内の途中であっても、通気のために設けた縦穴から空気の換気が可能であり、このような換気方式にも本発明に係るトンネル換気システムを適用することができるのはいうまでもない。
【００７５】
【発明の効果】
請求項１記載の発明では、トンネル内の所定のゾーン毎にバイパスファンを設け、これらの間にバイパス管路を設け、かつこの管路の末端を流路切換機構により、バイパス管路またはバイパスファンに連通させるか、あるいはトンネル内空間に向けて開放するかを切り換えられるので、累積空気汚染の低減ができ、ゾーン換気が達成できる。
【００７６】
また、トンネル換気制御性が向上し、排ガス増大に対する汚染区域の増大を回避することができる。
【００７７】
さらに、可逆換気を行なうことができるとともに、大断面トンネル換気の効率化を図ることができる。
【００７８】
また、火災排煙性が向上する効果がある。
【００７９】
請求項２記載の発明では、請求項１記載の作用効果に加えて、換気運転を自動化することができる。
【００８０】
請求項３記載の発明では、請求項２記載のトンネル換気システムに、トンネル内を換気するジェットファンを併用したものであり、計測器からの検出信号に基づく制御系の指令によりジェットファン、バイパスファンの効果的運用を図ることができ、自動換気システムの構築が可能である。
【００８１】
請求項４または５記載の発明では、駆動信号により可動管路の接続先をバイパスファンあるいはトンネル内大気に切り換えることができるため、遠隔操作ができる。
【００８２】
請求項６記載の発明では、駆動信号により主ダンパ及び副ダンパを切り換えることができるので、バイパスファンをトンネル内大気あるいはバイパス管路に連通でき、その切り換えを遠隔操作できる。
【００８３】
請求項７記載の発明では、バイパスファンを必要に応じて風量を可変できるとともに、吸い込み吐き出しを反転させることができるものであることから、トンネルの可逆性を達成し、多様な状態に運転することができる。
【図面の簡単な説明】
【図１】本発明に係るトンネル換気システムの第１の実施例を示す構成図である。
【図２】同第１の実施例の示す正面図である。
【図３】同第１の実施例で使用する可動管路方式の流路切換機構のバイパスファン側を拡大して示す斜視図である。
【図４】同第１の実施例で使用する可動管路方式の流路切換機構のバイパス管路側を拡大して示す斜視図である。
【図５】同第１の実施例の各要素を簡単に表記するための説明図である。
【図６】同第１の実施例の運転パターンＡを説明するための説明図である。
【図７】同第１の実施例の運転パターンＢを説明するための説明図である。
【図８】同第１の実施例の運転パターンＣを説明するための説明図である。
【図９】同第１の実施例の運転パターンＤを説明するための説明図である。
【図１０】同第１の実施例の運転パターンＥを説明するための説明図である。
【図１１】本発明に係るトンネル換気システムの第２の実施例を示す構成図である。
【図１２】同第２の実施例で使用するダンパ切換方式の流路切換機構を示す斜視図である。
【図１３】同ダンパ切換方式の流路切換機構を示す正面図である。
【図１４】同ダンパ切換方式の流路切換機構を示す側面図である。
【図１５】図１３におけるダンパ切換方式の流路切換機構のＡ−Ａ線に沿う断面図である。
【図１６】同ダンパ切換方式の流路切換機構を正送風で使用する場合の動作の説明図である。
【図１７】同ダンパ切換方式の流路切換機構を逆送風で使用する場合の動作の説明図である。
【図１８】同第２の実施例の運転パターンＡを説明するための説明図である。
【図１９】同第２の実施例の運転パターンＢを説明するための説明図である。
【図２０】同第２の実施例の運転パターンＣを説明するための説明図である。
【図２１】同第２の実施例の運転パターンＤを説明するための説明図である。
【図２２】同第２の実施例の運転パターンＥを説明するための説明図である。
【符号の説明】
１１  トンネル
１２ａ  第１のゾーン
１２ｂ  第２のゾーン
１２ｃ  第３のゾーン
１３ａ，１３ｂ，１３ｃ  バイパスファン
１４ａ，１４ｂ，１４ｃ，１４ｄ  バイパス管路
１５ａ，１５ｂ，１５ｃ，１５ｄ，１５ｅ，１５ｆ  流路切換機構
１６ａ，１６ｂ，１６ｃ  計測器
１８  制御装置
２１ａ，２１ｂ，２１ｃ，２１ｄ，２１ｅ，２１ｆ  可動管路
２２ax，２２ay，２２bx，２２by，２２cx，２２cy，２２dx，２２dy，２２ex，２２ey，２２fx，２２fy  移動機構
２３ax，２３ay，２３bx，２３by，２３cx，２３cy，２３dx，２３dy，２３ex，２３ey，２３fx，２３fy  フランジ
２４ax，２４ay，２４bx，２４by，２４cx，２４cy，２４dx，２４dy，２４ex，２４ey，２４fx，２４fy  スライド機構
２５ax，２５ay，２５bx，２５by，２５cx，２５cy，２５dx，２５dy，２５ex，２５ey，２５fx，２５fy  駆動機構
５１，５１ａ，５１ｂ，５１ｃ，５１ｄ，５１ｅ，５１ｆ  流路切換機構
５２Ａ，５２Ｂ，５２Ｒ，５２Ｌ，５２Ｃ，５２Ｄ  側面
５３  箱体
５４Ａ，５４Ｂ  主接続口
５５RA，５５RB，５５LA，５５LB  連通孔
５６  主弁駆動装置
５７RA，５７RB，５７LA，５７LB  副弁駆動装置
５９  主通路
６０Ｒ，６０Ｌ  副通路
６２  主ダンパ
６３RA，６３RB，６３LA，６３LB  副ダンパ
【図１】
0003627070.tif 000002
【図２】
0003627070.tif 000003
【図３】
0003627070.tif 000004
【図４】
0003627070.tif 000005
【図５】
0003627070.tif 000006
【図６】
0003627070.tif 000007
【図７】
0003627070.tif 000008
【図８】
0003627070.tif 000009
【図９】
0003627070.tif 000010
【図１０】
0003627070.tif 000011
【図１１】
0003627070.tif 000012
【図１２】
0003627070.tif 000013
【図１３】
0003627070.tif 000014
【図１４】
0003627070.tif 000015
【図１５】
0003627070.tif 000016
【図１６】
0003627070.tif 000017
【図１７】
0003627070.tif 000018
【図１８】
0003627070.tif 000019
【図１９】
0003627070.tif 000020
【図２０】
0003627070.tif 000021
【図２１】
0003627070.tif 000022
【図２２】
0003627070.tif 000023